(57)【要約】【課題】本発明は方形パルプモールド板を折り曲げて被包装物(製品)を圧縮、引張り、曲げ及び捻れ力に対抗し、かつ包装用箱を要せず堅牢に包装することができる包装体を得ることを目的とする。【解決手段】方形パルプモールド板１を３条の平行折畳線２により、４個の方形折曲板３に区画し、上記折曲板３を上記折畳線２から直角に折り曲げて方形４角筒を形成可能となし、かつ上記折曲板の内面両端部及び該両端部間に緩衝用凸部５，６を形成し、両端部の上記緩衝用凸部５，５により上記４角筒４内に収容した製品７の摺動阻止部を形成してなる包装材。【選択図】図１
2007254018.tif 000002
【特許請求の範囲】
【請求項１】
方形パルプモールド板を３条の平行折畳線により、４個の方形折曲板に区画し、
上記折曲板を上記折畳線から直角に折り曲げて方形４角筒を形成可能となし、
かつ上記折曲板の内面両端部及び該両端部間に緩衝用凸部を形成し、
両端部の上記緩衝用凸部により上記４角筒内に収容した製品の摺動阻止部を形成してなる包装材。
【請求項２】
上記方形折曲板の内面両側に上記折畳線に沿って力条を凸設した請求項１記載の包装材。
【請求項３】
上記両端部間の緩衝用凸部が両側の上記力条間に形成されてなる請求項１又は２に記載の包装材。
【請求項４】
上記両端部の緩衝用凸部の対向面が上記折曲板に向って対向方向に若干傾斜してなる請求項１〜３のいずれかに記載の包装材。
【発明の詳細な説明】
【技術分野】
【０００１】
本発明はパルプモールドによる折曲式箱型の包装材に関するものである。
【背景技術】
【０００２】
従来、パソコン、そのトナーカートリッジや酒瓶等のように精密又は割れ易い収容物は、両端部をそれぞれポリプロピレン（ＰＰ）等による合成樹脂発泡体に嵌合して、これを段ボール包装用箱内に収容した（例えば特許文献１）。
【０００３】
両端部の上記発泡体は収容物の外径よりも大幅にその径が大きいため、収容物の中間部は大きな空間となり、収容物の体積にくらべて包装用箱の体積が非常に大きくなるとの課題がある。
【０００４】
また、包装用箱内に収容物を収容すると上記両端発泡体による両端支持構造となり、中間部には自重による曲げ作用（ベンディング）や両端発泡体間の捻れが加わり、収容物の精度や亀裂等の悪影響を及ぼすばかりでなく、両端部の上記発泡体の強度を大きくする必要があるため該発泡体の縦横幅及び奥行きを大きく形成する必要があった。
【０００５】
このように従来のこの種の包装体では、中間部の空間容積が大となり、段ボール等の包装用箱の収容率が小となり、全体として嵩張って収容率及び輸送量に限界を生じ、多量輸送に問題があった。
【０００６】
【特許文献１】特開平１１−３０１７４１号公報
【発明の開示】
【発明が解決しようとする課題】
【０００７】
本発明は方形パルプモールド板を折り曲げて被包装物(製品)を圧縮、引張り、曲げ及び捻れ力等に対抗し、かつ包装用箱を別途要せず堅牢に包装することができるパルプモールドによる包装材を得ることを目的とする。
【課題を解決するための手段】
【０００８】
上記の目的を達成するため本発明は
第１に方形パルプモールド板を３条の平行折畳線により、４個の方形折曲板に区画し、上記折曲板を上記折畳線から直角に折り曲げて方形４角筒を形成可能となし、かつ上記折曲板の内面両端部及び該両端部間に緩衝用凸部を形成し、両端部の上記緩衝用凸部により上記４角筒内に収容した製品の摺動阻止部を形成してなる包装材により構成される。
【０００９】
第２に上記方形折曲板の内面両側に上記折畳線に沿って力条を凸設した上記第１発明記載の包装材により構成される。
【００１０】
第３に上記両端部間の緩衝用凸部が両側の上記力条間に形成されてなる上記第１又は２発明に記載の包装材により構成される。
【００１１】
第４に上記両端部の緩衝用凸部の対向面が上記折曲板に向って対向方向に若干傾斜してなる上記第１〜第３発明のいずれかに記載の包装材により構成される。
【００１２】
従って３条の平行折畳線を界に両側の上記折曲板を互に直角に折曲げて両端閉塞長方形４角筒を形成し、内部にトナーカートリッジのような長物（製品）等を収容することができる。
【００１３】
このように形成した方形４角筒は上記各折曲板の内面両端部及び両端部間に設けた緩衝用凹凸部が収容物の両端面及び４方側面に当接し、製品は上記４角筒内において摺動することなく一体的に保持され、上記力条及び上記凹凸部によって上記４角筒の曲り、捻れは防止される。例えば該４角筒の長手方向引張り、圧縮等も阻止され外力は製品に及ばない。
【００１４】
さらに上記折曲板の両端に設けた緩衝用凸部の対向面は該折曲板に向って対向方向に傾斜しているため製品(収容長物)の両端面が該凸部の対向面に圧接し、「ガタ」を解消する。
【発明の効果】
【００１５】
本発明は上述のように構成したので、製品をパルプモールド板による４角筒内に摺動することなく、かつ「ガタ」無く収容し、かつ製品表面を損傷するおそれなく包装し、例えば包装外面を薄厚の包装紙、若しくは外装箱、或は合成樹脂フィルム、又はテープ類等により確実に閉鎖し得て段ボール箱に収容する必要が無くそのまま安全に包装及び輸送し得る効果がある。
【発明を実施するための最良の形態】
【００１６】
網金型８（図１（ロ）図に示す）によって新聞故紙繊維を抄造（抄製）乾燥した方形パルプモールド板１に均等幅に３条の平行折畳線２，２，２を溝状に形成し、４個の長方形折曲板３，３，３，３を区画形成する。
【００１７】
上記折曲板３，３，３，３を上記折畳線２，２，２から内側に９０度（直角）に折曲げることによって図２（イ）から（ハ）に示すように長方形４角筒４（方形４角筒）を形成することができる。
【００１８】
１つ置きの上記折曲板３，３の各内面両端部に図１に示すように両端部緩衝用凸部５，５を外面に開口する中空に設け（図４（ハ）参照）、該凸部５，５の高さを上記折曲板３の幅ｔ（図２（ハ））の約１／２とし、該凸部５，５の対向面５’、５’を上記折曲板３に向かって対向方向に向って若干傾斜させる（図１、図３及び図４（ハ）に傾斜状態を示す）。さらに、上記凸部５，５の上記対向面５’、５’の下方に同じく上記折曲板３に向かって対向方向の斜面を構成する緩傾斜面５ａ，５ａを設ける。
【００１９】
この両端緩衝用凸部５，５は１〜４個の上記折曲板３に高さを加減して設けることが可能であって、上記対向面５’、５’間に製品７（収容物）の両端面７’、７’を当接し、上記４角筒４内に該製品７を収容し、上記対向面５’、５’及び上記傾斜面５ａ，５ａによって製品７の摺動を阻止することができる。
【００２０】
上記長方形４角筒４の外面は上記抄造時の金網型８（図１（ロ）図）に接する平坦面１’であり、内面が微小凹凸粗面１”であって、上記長方形折曲板３のそれぞれ内面の両側に上記折畳線２，２，２に沿いかつ該折畳線２の両側の上記折曲板３の外側縁に沿って長手方向力条（力条）９，９を凸設し、該力条９，９間に該力条９，９と直交又は交差し、かつ上記折曲板３の両端部間及び両端部緩衝用凸部５，５間に複数の緩衝用凸部６，６を介在させる。この緩衝用凸部は収容製品７の外形に合わせて設けられるものであり、主に収容製品７における衝撃から保護が必要な部分を保護し、かつがたつきを防止するために設けられる。
【００２１】
又製品７の外面にはパルプモールド板の微小凹凸粗面１”が接するため、接触面には微小クッションが介在する。
【００２２】
上記収容製品７はパソコンの印刷機（プリンター）に用いる着色料供給筒（ｔｏｎｎｅｒ  ｃａｒｔｒｉｄｇｅ・・・トナー・カートリッジ）や１升瓶等である。しかし電子機器そのもの、或は電子機器に用いる他の取替具等であっても差支えない。
【００２３】
上記４角筒４内に上記製品７を収容すると該製品７の両端面７’、７’が両端の緩衝用凸部５，５の対向面５’、５’に密着し、かつ緩傾斜面５ａ，５ａにより製品７の両端部を上下から押さえ込み、長手方向に摺動しないし、複数の緩衝用凸部６，６に上記製品７の側面が当接し遊動又は摺動を防止する。
【００２４】
その状態で上記４角筒４の外周に厚紙又は合成樹脂フィルム１０等を巻回し、これを段ボール箱に収容することなく上記４角筒４のまま積重ねて紐掛けして輸送することができる（図５、図６参照）。尚、図２（ハ）に示すように係合用突起１２，１２を開口部１３’、１３’に係合し得るように構成することにより、上記厚紙、合成樹脂フィルム１０等を使用せず、本発明に係る４角筒４のみでも包装材を構成することができる。
【実施例１】
【００２５】
上記製品７はパソコンのトナーカートリッジや酒瓶のような長物では上記折曲板３を図示するように長方形となし、パソコンのように平板状の製品７に適応するように形成することができる。
【００２６】
尚、上記方形折曲板３の内面両側に折畳線２に沿って設けられる力条９は、主に補強のために設けられるが、当該力条が緩衝材として機能をも有するものである。また、上記両端部間の緩衝用凸部６は衝撃緩衝用に設けられるものであるが、当該緩衝用凸部６は補強的機能をも有するものである。
【産業上の利用可能性】
【００２７】
上記４個の方形折曲板３，３，３，３は４個同一幅ｔであり、又は１つ置きの方形折曲板３，３を同一幅に大となし、隣接する方形折曲板３，３を同一幅に小となし、比較的扁平な製品７例えばパソコン等を包装することもできる。
【００２８】
上記力条９，９及び緩衝用凸部５，６は上記外面に開口９’，５”，６’する中空であって、それによって４個の上記折曲板３，３，３，３は補強されかつ軽量化される。
【００２９】
一側の上記折曲板３の外側縁中央部には突出片１１を設け、該突出片１１に係合用突起１２，１２を設け、他側の折曲板３の中央部に外面開口緩衝用中空突起１３，１３を形成し、上記方形４角筒４を形成した状態において上記突出片１１を９０度折曲げて係合用突起１２，１２を他側の上記折曲板３に形成した上記外面開口緩衝用中空突起１３，１３内に外側の開口部１３’，１３’（図３）から嵌入し上記方形４角筒４を図２（ハ）図に示すように端面４角形に保持することができる。このように構成すると、必ずしも厚紙や合成樹脂フィルム１０を用いる必要はなく、緩衝機能を有する本件発明の４角筒４のみで包装材を構成することができる。
【図面の簡単な説明】
【００３０】
【図１】（イ）図は本発明の包装材を開いた状態の斜視図及び製品（収容物）の仮想線図、（ロ）図は上記パルプモールド板及びその抄製網型の拡大図である。
【図２】（イ）図は図１の右側面図、（ロ）図は平行折畳線から折畳状態の右側面図、（ハ）図は折畳が完了した状態の右側面図である。
【図３】図２（ハ）図の上面板を開いた状態の斜視図である。
【図４】（イ）図は図１の他の実施側の平面図、（ロ）図は（イ）図Ａ−Ａ線による縦断面図、（ハ）図は（イ）図Ｂ−Ｂ線による縦断面図ある。
【図５】（イ）図は方形４角筒及びその嵌合フィルム筒の斜視図、（ロ）図は該フィルム筒による上記４角筒閉鎖状態の斜視図である。
【図６】（イ）図は短い嵌合フィルム筒による方形４角筒の閉鎖状態の斜視図、（ロ）図は２条のテープによる閉鎖状態の斜視図である。
【符号の説明】
【００３１】
１          方形パルプモールド板
１’        平坦面
１”        微小凹凸粗面
２          平行折畳線
３          方形折曲板
４          方形４角筒
５          両端部緩衝用凸部
５’        対向面
６          両端部間緩衝用凸部
７          製品（収容物）
８          抄製網型
９          力条
【図１】
2007254018.tif 000003
【図２】
2007254018.tif 000004
【図３】
2007254018.tif 000005
【図４】
2007254018.tif 000006
【図５】
2007254018.tif 000007
【図６】
2007254018.tif 000008